(57)【要約】【課題】  内包されている商品の特徴と使用方法をパッケージの外観から表現することにより、インパクトがあり販売効果を高めることのできるクラムシェルパッケージを得る。【解決手段】  上クラムシェル２の外観面にパッケージ内に内包されるディスクプレーヤー６の特徴や使用方法を表現したデザイン画１０を実物大で立体的に型取り成形した。【選択図】      図１
2005329960.tif 000002
【特許請求の範囲】
【請求項１】
電子機器商品を内包する上クラムシェル及び下クラムシェルからなり、
上記上クラムシェルの外観面に上記電子機器商品の特徴や使用方法を表現したデザイン画を立体的に型取り成形したことを特徴とするクラムシェルパッケージ。
【請求項２】
上記デザイン画は、上記上クラムシェルの成形と同時に一体に成形したことを特徴とする請求項１に記載のクラムシェルパッケージ。
【請求項３】
上記上クラムシェル及び下クラムシェルは、内包されている上記電子機器商品が外から識別可能なように透明なプラスチック材から成形したことを特徴とする請求項１に記載のクラムシェルパッケージ。
【請求項４】
上記デザイン画は、内包されている電子機器商品の使用方法を原寸大に表現したことを特徴とする請求項１に記載のクラムシェルパッケージ。
【発明の詳細な説明】
【技術分野】
【０００１】
本発明は、例えば、ポータブル（携帯型）式のディスクプレーヤー等の電子機器商品を個装箱に内包して陳列したときに、商品に対するインパクトを与えると共に販売効果を高めることのできるクラムシェルパッケージに関する。
【背景技術】
【０００２】
従来、電子機器商品を内包して販売するための例えば、プラスチック材から成形されているクラムシェルパッケージとしては、種々の形状のものが提案されている。（例えば、特許文献１及び特許文献２参照）。
【０００３】
ここで、商品が内包されたクラムシェルパッケージを陳列したとき、その商品の特徴と使用方法をクラムシェルパッケージの外観から表現する方法としては、商品の特徴を文章化した印刷物をクラムシェルパッケージ内に収容し、この印刷物をクラムシェルパッケージの外から透けて見えるようにしたり、あるいは印刷物に商品の使用方法を表示した写真等と共に併記して表現するようにしたものがある。
【特許文献１】特開２００１−２８７７７１号公報
【特許文献２】特開平０９−２０７９８６号公報
【発明の開示】
【発明が解決しようとする課題】
【０００４】
しかし、前述したように商品の特徴を文章化した印刷物あるいは写真等を併記した印刷物をクラムシェルパッケージ内に表示したものは、印刷物の表示部分の大きさが限られてしまい、ユーザーにとってインパクトがなく商品の販売効果としてはそれほど期待できない。
【０００５】
また、商品の特徴を目立たせる方法として、ＰＯＰ（point of purchase）ラベル等を用いて行う方法もあるが、この場合もラベルの大きさに限られ、特徴部分を目立たせるには限度がある。
【０００６】
本発明は、上述したような課題を解消するためになされたもので、内包されている商品の特徴と使用方法をパッケージの外観から表現することにより、インパクトがあり販売効果を高めることのできるクラムシェルパッケージを得ることを目的とする。
【課題を解決するための手段】
【０００７】
上記の課題を解決し、本発明の目的を達成するため、本発明による請求項１に記載のクラムシェルパッケージは、上クラムシェルの外観面に電子機器商品の特徴や使用方法を表現したデザイン画を型取り成形したことを特徴とする。
【発明の効果】
【０００８】
本発明のクラムシェルパッケージによれば、ユーザーは上クラムシェルの外観面のデザイン画から内包されている電子機器商品の特徴と共に使用方法を商品に触れることなくリアルに認識することができ、これによって、商品に高いインパクトを与え販売効果を高めることができる。
【０００９】
また、クラムシェルパッケージの型取り成形による表現なので、余分なパッケージコストをかけずに安価に製作できる。
【発明を実施するための最良の形態】
【００１０】
以下、本発明によるクラムシェルパッケージの最良の実施の形態を図面を参照して説明する。なお、本実施の形態ではクラムシェルパッケージに内包される商品として電子機器製品である例えば、ポータブルのＣＤディスクプレーヤー（以下、ディスクプレーヤー）という）について説明する。
【００１１】
図１は本発明に適用されるクラムシェルパッケージの外観斜視図、図２はディスクプレーヤーが内包された状態の図１のＡ−Ａ線における断面図、図３はディスクプレーヤーが内包された状態でクラムシェルパッケージを展開した平面図、図４はディスクプレーヤーの使用状態の外観図である。
【００１２】
全体を符号１で示したクラムシェルパッケージは、上クラムシェル２と下クラムシェル３とがヒンジ部４を介して一体に連設され、両クラムシェル２,３が展開状態において射出成型されるものである。このクラムシェルパッケージ１は透明なプラスチック材からなり、素材としてはＰＳ（ポリスチレン）等である。
【００１３】
下クラムシェル３は、ディスクプレーヤーが収容される収納部５を備え、この収納部５にディスクプレーヤー６が補助材７を介して位置決めされた状態で収容される。
【００１４】
ディスクプレーヤー６は、極めてシンプルな形状であって、円盤状のプレーヤー本体部８と、このプレーヤー本体部８の外周部にアーチ状に渡し込むようにした形状保形されたハンドストラップベルト９から構成されている。ディスクプレーヤー６の使い方としては、プレーヤー本体部８とハンドストラップベルト９との間に右手あるいは左手（図４では左手による使用）の親指以外の手を通し、手の甲がハンドストラップベルト９に当たるようにしてプレーヤー本体部８を保持するものである。
【００１５】
上述したディスクプレーヤー６は、手でハンドした状態で携帯し、ハンドした手の親指等でプレーヤー本体部６の側部にあるボタン郡６ａを操作する使い方である。
【００１６】
さて、上クラムシェル２は、下クラムシェル３と共にディスクプレーヤー６を内包する容器であるが、この上クラムシェル３の表面にあたる外観面には、内包されているディスクプレーヤー６の特徴である持ち方やその使用方法を表現しているデザイン画１０が型取り成形されている。
【００１７】
このデザイン画１０は、一例としてディスクプレーヤーを保持したときの様子のハンドストラップベルトの形状１０ａと手の形状１０ｂを実物大で立体的にデザイン化したものである。
【００１８】
このように構成したクラムシェルパッケージは、ディスクプレーヤー６を収容し、付属品及び印刷物を収容し、下クラムシェル３に対し上クラムシェル２をヒンジ部４から折り曲げて重ね合せ、両上下クラムシェル２,３のフランジ部２ａ,３ａをミシン目状に熱溶着１１される。ここで、下クラムシェル３に位置きめされたディスクプレーヤーは、そのハンドストラップベルト９の部分が上クラムシェル２のデザイン画１０のハンドストラップベルトの形状１０ａの部分に位置きめされ位置ずれすることなく安定して収納することができる。
【００１９】
かくして、クラムシェルパッケージは、その吊り留め孔１２を掛けて陳列されると、ユーザーは上クラムシェルの外観面の実物大のデザイン画１０を見たとき、商品であるディスクプレーヤーのハンドストラップベルトに手を通してあたかもハンドして使用している状態をリアルに認識することができる。つまり、クラムシェルパッケージの外観面から内包されているディスクプレーヤー６の特徴と共に使用方法を商品に触れることなく識別することができる。これによって、商品に対する高いインパクトを与え販売効果を高めることができるというものである。
【００２０】
また、クラムシェルパッケージの型取り成形による表現なので、余分なパッケージコストをかけずに安価に製作することもできる。
【００２１】
また、クラムシェルパッケージ自体が透明なプラスチック材からできているので、内包されているディスクプレーヤー６をパッケージの外から見ることができ商品の確認もすることができる。さらに、クラムシェルパッケージを透明ではあるが、所定の色に着色することでユーザーの目にとまりやすくなり販売効果を高めることができる。
【００２２】
また、図５に別の実施の形態のクラムシェルパッケージを示す。この例は上クラムシェル２の外観面にディスクプレーヤー６のハンドストラップベルト９の部分のみを立体的に型取りしたデザイン画１３として成形したものである。この場合もシンプルではあるが、上クラムシェルの外観面のデザイン画１３から内包されているディスクプレーヤー６の特徴を商品に触れることなく認識することができ、クラムシェルパッケージの外観から商品に高いインパクトを与え販売効果を高めることができるというものである。
【００２３】
なお、クラムシェルパッケージを開封するときは、フランジ部２ａ,３ａの熱溶着１１の部分をミシン目に沿って挟み等により切断することにより容易に開封することができ、ディスクプレーヤー６及び付属品の取り出しができる。
【００２４】
本発明は、上述しかつ図面に示した実施の形態に限定されるものでなく、その要旨を逸脱しない範囲内で種々の変形実施が可能である。
【００２５】
本発明の実施の形態では、クラムシェルパッケージ内に内包される電子機器商品としてディスクプレーヤーの場合を例にとって説明したが、商品が例えばハンディー式のビデオカメラが内包されるクラムシェルパッケージの場合では、上クラムシェルの外観面にビデオカメラを手で保持している状態のデザイン画を実物大で立体的に型取り成形するようにすれば、上述の場合と同様にクラムシェルパッケージの外観から商品に対して高いインパクトを与え販売効果を高めることができる。
【００２６】
また、本発明のクラムシェルパッケージは、その他の電子機器商品のパッケージに使用することが可能で、商品の販売効果に寄与することができる。
【図面の簡単な説明】
【００２７】
【図１】本発明に適用されるクラムシェルパッケージの外観斜視図である。
【図２】ディスクプレーヤーが内包された状態の図１のＡ−Ａ線における断面図である。
【図３】ディスクプレーヤーが内包された状態でクラムシェルパッケージを展開した平面図である。
【図４】ディスクプレーヤーの使用状態の外観図である。
【図５】クラムシェルパッケージの別の例の外観斜視図である。
【符号の説明】
【００２８】
１…クラムシェルパッケージ、２…上クラムシェル、３…下クラムシェル、４…ヒンジ部、５…収納部、６…ディスクプレーヤー、７…補助材、８…プレーヤー本体部、９…ハンドストラップベルト、１０…デザイン画、１０ａ…ハンドストラップベルトの形状、１０ｂ…手の形状、１３…ハンドストラップベルトのデザイン画
【図１】
2005329960.tif 000003
【図２】
2005329960.tif 000004
【図３】
2005329960.tif 000005
【図４】
2005329960.tif 000006
【図５】
2005329960.tif 000007